【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
ランダムアクセス応答(RAR)送信、またはシングルセルポイントツーマルチポイント(SC-PTM)送信のための開始サブフレームが発生することになるかまたは発生したと判断するステップと、
1つまたは複数の狭帯域送信パラメータに基づいて、非アンカーリソースブロック(RB)内の狭帯域基準信号(NRS)の発生を決定するステップであって、前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備える、ステップと、
前記RAR送信、または前記SC-PTM送信の後に、少なくともN個のサブフレームを加えた前記長さにおいて、前記NRSを処理するステップと
備える方法。
【請求項２】
前記狭帯域送信パラメータが、ページング機会(PO)、前記RAR送信、または前記SC-PTM送信の前にNRSを送信するための、サブフレームの最小数Mを備え、前記方法が、
前記PO、前記RAR送信、または前記SC-PTM送信の前に、少なくともM個のサブフレームにおいて前記NRSを処理するステップ
をさらに備える、請求項1に記載の方法。
【請求項３】
基地局(BS)によるワイヤレス通信のための方法であって、
ランダムアクセス応答(RAR)送信、またはシングルセルポイントツーマルチポイント(SC-PTM)送信のための開始サブフレームが発生することになるかまたは発生したと判断するステップと、
前記RAR送信または前記SC-PTM送信と同じリソースブロック(RB)において、ユーザ機器(UE)への1つまたは複数の第1の送信をスケジュールするかどうかを決定するステップと、
1つまたは複数の狭帯域送信パラメータに基づいて、非アンカーリソースブロック(RB)内の狭帯域基準信号(NRS)を送信すると決定するステップであって、前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備える、ステップと、
前記RAR送信、または前記SC-PTM送信の後に、N個のサブフレームを加えた前記長さにおいて、前記非アンカーRB内の前記NRSを送信するステップと
を備える方法。
【請求項４】
前記狭帯域送信パラメータが、ページング機会(PO)、前記RAR送信、または前記SC-PTM送信の前にNRSを送信するための、サブフレームの最小数Mを備え、
前記方法が、
前記PO、前記RAR送信、または前記SC-PTM送信の前に、M個のサブフレームにおいて前記NRSを送信するステップ
をさらに備える、請求項3に記載の方法。
【請求項５】
前記UEへの前記1つまたは複数の送信が、狭帯域物理ダウンリンク制御チャネル(NPDCCH)を備え、
前記方法が、
ページング機会(PO)、前記RAR送信、または前記SC-PTM送信の後に、1つまたは複数のサブフレームにおいて前記NPDCCHを送信するステップと、
前記NPDCCHを送信するために使用される前記1つまたは複数のサブフレームの各々においてNRSを送信するステップと
をさらに備える、請求項3に記載の方法。
【請求項６】
前記NPDCCHが、狭帯域物理ダウンリンク共有チャネル(NPDSCH)のための送信リソースの割振りを示し、
前記方法が、
前記NPDCCHの後に、1つまたは複数のサブフレームにおいて前記割振りされた送信リソースを介して前記NPDSCHを送信するステップと、
前記NPDCCHを送信することと前記NPDSCHを送信することとの間の1つまたは複数のサブフレームの各々においてNRSを送信するステップと、
前記NPDSCHを送信するために使用される前記1つまたは複数のサブフレームの各々においてNRSを送信するステップと
をさらに備える、請求項5に記載の方法。
【請求項７】
前記NPDCCHを送信するために使用される前記サブフレームの数と、前記NPDCCHおよび前記NPDSCHを送信することの間の前記サブフレームの数と、前記NPDSCHを送信するために使用される前記サブフレームの数との第1の合計が、最も長い狭帯域物理ダウンリンク制御チャネル(NPDCCH)候補の末尾の後にNRSを送信するための、前記最も長いNPDCCH候補の長さと、サブフレームの最小数Nとの第2の合計よりも小さいと決定するステップと、
ページング機会(PO)、前記RAR送信、または前記SC-PTM送信の後に、ある数のサブフレームにおいてNRSを送信するステップであって、前記数が前記第2の合計に等しい、ステップと
をさらに備える、請求項6に記載の方法。
【請求項８】
ワイヤレス通信のための装置であって、
ランダムアクセス応答(RAR)送信、またはシングルセルポイントツーマルチポイント(SC-PTM)送信のための開始サブフレームが発生することになるかまたは発生したと判断するための手段と、
1つまたは複数の狭帯域送信パラメータに基づいて、非アンカーリソースブロック(RB)内の狭帯域基準信号(NRS)の発生を決定するための手段であって、前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備える、手段と、
前記RAR送信、または前記SC-PTM送信の後に、少なくともN個のサブフレームを加えた前記長さにおいて、前記NRSを処理するための手段と
を備える装置。
【請求項９】
前記狭帯域送信パラメータが、ページング機会(PO)、前記RAR送信、または前記SC-PTM送信の前にNRSを送信するための、サブフレームの最小数Mを備え、
前記装置が、
前記PO、前記RAR送信、または前記SC-PTM送信の前に、少なくともM個のサブフレームにおいて前記NRSを処理するための手段
をさらに備える、請求項8に記載の装置。
【請求項１０】
ワイヤレス通信のための装置であって、
ランダムアクセス応答(RAR)送信、またはシングルセルポイントツーマルチポイント(SC-PTM)送信のための開始サブフレームが発生することになるかまたは発生したと判断するための手段と、
前記RAR送信または前記SC-PTM送信と同じリソースブロック(RB)において、ユーザ機器(UE)への1つまたは複数の送信をスケジュールするかどうかを決定するための手段と、
1つまたは複数の狭帯域送信パラメータに基づいて、非アンカーリソースブロック(RB)内の狭帯域基準信号(NRS)を送信すると決定するための手段であって、前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備える、手段と、
前記RAR送信、または前記SC-PTM送信の後に、N個のサブフレームを加えた前記長さにおいて、前記非アンカーRB内の前記NRSを送信するための手段と
を備える装置。
【請求項１１】
前記狭帯域送信パラメータが、ページング機会(PO)、前記RAR送信、または前記SC-PTM送信の前にNRSを送信するための、サブフレームの最小数Mを備え、
前記送信するための手段が、
前記PO、前記RAR送信、または前記SC-PTM送信の前に、M個のサブフレームにおいてNRSを送信するための手段
をさらに備える、請求項10に記載の装置。
【請求項１２】
前記UEへの前記1つまたは複数の送信が、狭帯域物理ダウンリンク制御チャネル(NPDCCH)を備え、
前記送信するための手段が、
ページング機会(PO)、前記RAR送信、または前記SC-PTM送信の後に、1つまたは複数のサブフレームにおいて前記NPDCCHを送信するための手段と、
前記NPDCCHを送信するために使用される前記1つまたは複数のサブフレームの各々においてNRSを送信するための手段と
をさらに備える、請求項10に記載の装置。
【請求項１３】
前記NPDCCHが、狭帯域物理ダウンリンク共有チャネル(NPDSCH)のための送信リソースの割振りを示し、
前記送信するための手段が、
前記NPDCCHの後に、1つまたは複数のサブフレームにおいて前記割振りされた送信リソースを介して前記NPDSCHを送信するための手段と、
前記NPDCCHを送信することと前記NPDSCHを送信することとの間の1つまたは複数のサブフレームの各々においてNRSを送信するための手段と、
前記NPDSCHを送信するために使用される前記1つまたは複数のサブフレームの各々においてNRSを送信するための手段と
をさらに備える、請求項10に記載の装置。
【請求項１４】
前記NPDCCHを送信するために使用される前記サブフレームの数と、前記NPDCCHおよび前記NPDSCHを送信することの間の前記サブフレームの数と、前記NPDSCHを送信するために使用される前記サブフレームの数との第1の合計が、最も長い狭帯域物理ダウンリンク制御チャネル(NPDCCH)候補の末尾の後にNRSを送信するための、前記最も長いNPDCCH候補の長さと、サブフレームの最小数Nとの第2の合計よりも小さいと決定するための手段
をさらに備え、
前記送信するための手段が、
ページング機会(PO)、前記RAR送信、または前記SC-PTM送信の後に、ある数のサブフレームにおいてNRSを送信するための手段であって、前記数が前記第2の合計に等しい、手段
をさらに備える、請求項13に記載の装置。
【請求項１５】
実行されると請求項1乃至2または請求項3乃至7のいずれか1項に記載の方法をコンピュータに実行させるプログラムコードを記録したコンピュータ可読記録媒体。